(57)【特許請求の範囲】
【請求項１】
構造体の荷重を支承する耐力壁を備えた建築物であって、
戸境壁に対して略直交する梁に固定されることにより、前記戸境壁から離間して、前記戸境壁に対して略直交し且つ互いに略平行となるように室内空間に複数配置され、多数の孔が規則的に配列された面材で構成された耐力壁と、
隣接する耐力壁間に前記孔を利用して架設される板状部材又は棒状部材を含む住設ユニットとが、設けられたことを特徴とする建築物。
【請求項２】
前記複数の耐力壁は、基本寸法（モジュール）ごとに略同一間隔で配置されることを特徴とする、請求項１に記載の建築物。
【請求項３】
前記複数の耐力壁は、基本寸法（モジュール）の倍数を組み合わせた間隔で配置されることを特徴とする、請求項１に記載の建築物。
【請求項４】
前記住設ユニットは、
前記板状部材を棚板とする収納ユニット、
前記板状部材にシンクを備えたキッチンユニット、
前記板状部材に洗面ボウルを備えた洗面台ユニット、
前記板状部材に照明笠を備えた照明ユニット、
及び、前記板状部材に洗浄ボウル及び換気扇を備えたペットルームユニットのうち何れか一つのユニットであることを特徴とする、
請求項１〜請求項３の何れか一項に記載の建築物。
【請求項５】
前記耐力壁の上部又は下部に、円形状若しくは長円形状の機能孔が開口され、
前記機能孔に配線又は配管が挿通されて支持されることを特徴とする、請求項１〜請求項４の何れか一項に記載の建築物。
【発明の詳細な説明】
【技術分野】
【０００１】
本発明は耐力壁を備えた建築物に関し、詳しくは耐力壁を建築物における家具の一部として利用する技術に関する。
【背景技術】
【０００２】
従来、室内空間に耐力壁を複数設置するとともに、その耐力壁間のスペースを収納等の機能空間として利用する技術が提案されている(例えば、「特許文献１」、「特許文献２」参照)。
【特許文献１】特開２００３−３５０５０号公報
【特許文献２】特開２００２−２７６０４８号公報
【発明の開示】
【発明が解決しようとする課題】
【０００３】
前記特許文献１の技術においては、有孔板を面材として備えた耐力壁が開示されているが、この耐力壁の孔は採光のために利用されるものである。また、前記特許文献１及び特許文献２の技術において、耐力壁間を収納スペースとして利用することが提案されているが扉を備える以外に具体的な構造が明示されていない。
【０００４】
本発明は上記の課題を解決するために、複数配置した耐力壁間に収納ユニット、キッチンユニット又は洗面台ユニット等を直接組付けることにより、組付けに必要な部品点数、経費を削減することができる建築物を提供するものである。
【課題を解決するための手段】
【０００５】
本発明の解決しようとする課題は以上の如くであり、次にこの課題を解決するための手段を説明する。
【０００６】
即ち、請求項１においては、構造体の荷重を支承する耐力壁を備えた建築物であって、戸境壁に対して略直交する梁に固定されることにより、前記戸境壁から離間して、前記戸境壁に対して略直交し且つ互いに略平行となるように室内空間に複数配置され、多数の孔が規則的に配列された面材で構成された耐力壁と、隣接する耐力壁間に前記孔を利用して架設される板状部材又は棒状部材を含む住設ユニットとが、設けられたものである。
【０００７】
請求項２においては、請求項１に記載の建築物であって、前記複数の耐力壁は、基本寸法（モジュール）ごとに略同一間隔で配置されるものである。
【０００８】
請求項３においては、請求項１に記載の建築物であって、前記複数の耐力壁は、基本寸法（モジュール）の倍数を組み合わせた間隔で配置されるものである。
【０００９】
請求項４においては、請求項１〜請求項３の何れか一項に記載の建築物であって、前記住設ユニットは、前記板状部材を棚板とする収納ユニット、前記板状部材にシンクを備えたキッチンユニット、前記板状部材に洗面ボウルを備えた洗面台ユニット、前記板状部材に照明笠を備えた照明ユニット、及び、前記板状部材に洗浄ボウル及び換気扇を備えたペットルームユニットのうち何れか一つのユニットであるものである。
【００１０】
請求項５においては、請求項１〜請求項４の何れか一項に記載の建築物であって、前記耐力壁の上部又は下部に、円形状若しくは長円形状の機能孔が開口され、前記機能孔に配線又は配管が挿通されて支持されるものである。
【発明の効果】
【００１１】
本発明の効果として、以下に示すような効果を奏する。
【００１２】
請求項１においては、例えば、収納ユニット、キッチンユニット、或いは洗面台ユニットといった住設ユニットを構造躯体である耐力壁に直接組付けることができるので、組付けに必要な部品点数、経費を削減することができる。また、構造体の強度を向上させるための耐力壁を複数配置しても、これらの耐力壁によって挟まれたスペースを収納、キッチン又は洗面台などの機能空間として利用することで、無駄な空間が生じない。さらに、耐力壁を採光性・意匠性に富んだインテリア家具として利用できる。
【００１３】
請求項２においては、耐力壁間の間隔が基本寸法（モジュール）ごとに略同一間隔で配置されるので、耐力壁間に設けられる住設ユニットの設置箇所を交換することが容易であり、室内のデザインに合わせた配置形態を実現できる。また、各ユニットの設置箇所を交換しても余分なスペースが発生せず、違和感のない室内構成にすることができる。
【００１４】
請求項３においては、耐力壁間の間隔が基本寸法（モジュール）の倍数を組み合わせた間隔で配置されるので、耐力壁間に設けられる住設ユニットの設置箇所を容易に交換することができる。
【００１５】
請求項４においては、それぞれユニットとして構成されるので、組み付けが容易であり、生活スタイルに応じてユニットの配置変更を行うことができる。
【００１６】
請求項５においては、配線又は配管を耐力壁で直接支持できるので、組付けに必要な部品点数、経費を削減することができる。また、配線又は配管をインテリアの一部として利用できる。
【発明を実施するための最良の形態】
【００１７】
次に、発明の実施の形態を説明する。なお、本発明の技術的範囲は実施例に限定されるものではなく、本明細書及び図面に記載した事項から明らかになる本発明が真に意図する技術的思想の範囲全体に、広く及ぶものである。
図１は本発明に係る集合住宅の全体的な構成を示した概略平面図である。
図２は本発明に係る耐力壁の斜視図である。
図３は本発明に係る耐力壁の一階における取付状態を示す正面図である。
図４は耐力壁と梁及び基礎梁との連結構造を示した側面図である。
図５は本発明の実施例１に係る概略平面図である。
図６は本発明に係る耐力壁の実施例１における使用状態を示す斜視図である。
図７は実施例１における洗面台ユニットを示す斜視図である。
図８は架設用部材の正面図及び側断面図である。
図９は本発明の実施例２に係る概略平面図である。
図１０は本発明の実施例３に係る概略平面図である。
図１１は本発明の実施例４に係る概略平面図である。
図１２（ａ）は本発明のペットルームユニットの正面図、（ｂ）は（ａ）におけるＥ−Ｅ線断面図、（ｃ）は同じくＣ−Ｃ線断面図、（ｄ）は同じくＤ−Ｄ線断面図である。
【００１８】
［全体構成］
本発明に係る集合住宅の全体的な構成について、図１を用いて説明する。
前記集合住宅１０は、例えば単身者若しくは夫婦が居住することを想定したワンルームタイプの集合住宅であり、一方向に長い平面視略矩形状を成し、図１に示すように桁行方向（図１中矢印Ａの方向）に沿って複数の住戸が配列されている。
【００１９】
前記集合住宅１０では、その梁行方向（図１中矢印Ｂの方向）における一端側に桁行方向に沿って各住戸の共用部分であるバルコニー１５・１５・１５・・・が設けられ、他端側に共用部分としての共用廊下１６が設けられる。これらバルコニー１５・１５・１５・・・と共用廊下１６との間に各住戸の専用部分である室内空間１１・１１・１１・・・が設けられており、隣接する室内空間１１・１１間は、梁行方向に延びる戸境壁１２で仕切られている。
【００２０】
そして、この戸境壁１２には、耐力壁２１・２１・２１・・・が、前記戸境壁１２と略直交して設けられるとともに、前記戸境壁１２に沿って複数略等間隔に配設されている。前記耐力壁２１・２１・２１・・・は、室内空間１１をより広く使用可能とするため、一つの室内空間１１を構成する一組の戸境壁１２・１２のうち、一側の戸境壁１２に沿って設けられる。この耐力壁２１・２１・２１・・・により、地震時に集合住宅１０が水平方向の揺れを受けた場合でも躯体に捩れを発生させず、集合住宅１０の耐震強度が向上するのである。
【００２１】
［耐力壁］
次に、本発明に係る耐力壁２１について、図１及び図２を用いて説明する。
一枚の耐力壁２１は、図２に示すように、二本の柱材２３・２３と、この柱材２３・２３間に架設された面材２２とで構成される。
前記耐力壁２１の左右両端部に位置する柱材２３・２３は、鋼管やＨ型鋼を木材で被覆して成るものである。柱材２３を木材で被覆することによって、面材２２端部の鋭利な部分が保護されて安全性の向上が図られる。また、柱材２３は室内空間１１に露出する部材であるので、木材で被覆することによってインテリア性の向上が図られる。但し、柱材２３は、鋼管又は型鋼のみ、或いは、木材のみで構成することもできる。
【００２２】
前記面材２２は、鉄板や鋼板等の金属板によって形成され、多数の孔２４・２４・２４・・・が規則的に配列されたいわゆるパンチングメタル（有孔板）が採用される。面材２２としてパンチングメタルを採用することで、面材２２の軽量化を図るとともに、面材２２に採光性を備えて、耐力壁２１によって室内空間１１内に生じる影の低減が図られている。
【００２３】
また、前記面材２２の上部には、円形状若しくは長円形状の機能孔が複数個開口される。詳しくは、本実施例においては配線用孔２５、ダクト用孔２６、配管用孔２７である。これらの機能孔２５、２６、２７は、後述するようにそれぞれ配線７１・ダクト７２及び配管７３が挿通され、配線７１・ダクト７２及び配管７３が別途支持部材を設けることなく支持される構成となっている。
なお前記面材２２は、壁面を木材又は化粧パネルで被覆し、この木材又は化粧パネルに、面材２２における孔２４・２４・２４・・・及び機能孔２５、２６、２７と同一の箇所に同形状の孔を開口して構成することも可能である。これにより、柱材２３及び室内空間１１とのデザイン的な調和を図り、インテリア性を向上させることができる。
また前記機能孔２５・２６・２７は、前記面材２２の下部に開口し、この機能孔２５・２６・２７に配線７１・ダクト７２及び配管７３を挿通して支持させる構成にすることも可能である。
【００２４】
また、図１及び図２に示すように、前記耐力壁２１・２１・２１・・・は室内空間１１のどちらか一方の戸境壁１２に沿うように、複数枚が等間隔に配置される。本実施例では、耐力壁２１は梁行方向に沿って、桁行方向（戸境壁１２と直交する方向）に複数配置されており、原則として隣り合う室内空間１１において左右対称となるように配置されている。このように構成することにより、集合住宅１０の桁行方向への耐力が向上するため、地震等の振動による横揺れ（桁行方向への揺れ）に対する耐震強度を大きくすることが可能となる。そして、前記耐力壁２１は、複数枚が戸境壁１２に対して垂直かつ等間隔に配置されることにより、不規則に耐力壁２１を配列する場合と比較してねじれが発生し難く、地震時における桁行方向の水平荷重を支持しやすい建築物を構成することができるのである。
【００２５】
さらに、二つの隣接する室内空間１１・１１の浴室４１やトイレ４２等の水回り部分を、耐力壁２１を設けた戸境壁１２と反対側の戸境壁１２付近にまとめることができるため、二つの室内空間１１・１１間で配管スペース等を共用することで省スペース化を図ることができ、さらに隣室の生活音の影響を最小限にすることができる。
【００２６】
［取付方法］
次に、耐力壁２１の取付方法について図３及び図４を用いて説明する。図３は本発明に係る耐力壁の一階における取付状態を示す正面図、図４は耐力壁と梁及び基礎梁との連結構造を示した側面図である。
本実施例に係る集合住宅１０の躯体を構成する梁１４は、桁行方向に略等間隔に複数並設されており、二本の長尺部材１４ａ・１４ａを接合して成るものである。具体的には、
一組の溝形鋼（Ｃ型鋼）からなる長尺部材１４ａ・１４ａを背中合わせに螺結して梁１４が構成されているのである。そして、後述する取付板１７が長尺部材１４ａ・１４ａに挟持され、取付板１７と長尺部材１４ａ・１４ａとがともにボルトにより締結されることで、この取付板１７梁１４に固設されている。
【００２７】
前記耐力壁２１の一階上端部及び二階より上階の上下端部では、耐力壁２１の左右両端部に設けられた柱材２３・２３の上端部（二階より上階については上端部及び下端部）より、梁１４に固設された取付板１７・１７を挟持するための二枚の板状部材（挟持ステー２８・２８）が耐力壁２１の幅方向と平行に突設されている。前記二本の挟持ステー２８・２８の間に取付板１７・１７を介挿し、ボルトを前記挟持ステー２８・２８と取付板１７・１７とを貫通させて固定しているのである。
【００２８】
前記耐力壁２１の一階下端部においては、耐力壁２１から取付板１８・１８が耐力壁２１の幅方向と平行に突設されており、該取付板１８・１８がベースプレート１９・１９から突出した二本の挟持板２０・２０によって挟持され、該挟持板２０・２０及び前記取付板１８・１８にボルトを貫通させて固定している。前記ベースプレート１９・１９は、基礎梁１３・１３にアンカーボルト２９によって固定されている。そのため、前記耐力壁２１が基礎梁１３に固定されることとなり、集合住宅１０全体の桁行方向への耐力が向上するのである。
【００２９】
このように構成することにより、取付板１７・１７を介して耐力壁２１の上部を長尺部材１４ａ・１４ａからなる梁１４に固定して、また、取付板１８・１８を介して耐力壁２１の下部を桁行方向に平行な二本の長尺部材１４ａ・１４ａからなる梁１４若しくは基礎梁１３に固定することにより、耐力壁の役割を果たすことが可能となっている。そのため、戸境壁１２を薄くすることが可能となり、室内に突出する柱を無くすことが可能となるため、各室内空間１１の間取りについて、レイアウトの自由度が向上する。
また、ボルトを着脱することにより耐力壁２１を前記梁１４より容易に着脱することが可能となっている。このため、耐力壁２１の簡易な施工が可能となり、耐力壁２１と梁１４とを分割することにより搬送することが容易となる。
【００３０】
［実施例１］
次に、本発明の実施例１に係る家具ユニットの配置方法について、図５乃至図８を用いて説明する。図５は本発明の実施例１に係る概略平面図、図６は本発明に係る耐力壁２１の実施例１における使用状態を示す斜視図、図７は実施例１における洗面台ユニットを示す斜視図、図８は架設用部材６１ａ、６１ｂ、６２ａ、６２ｂ等の正面図及び側断面図である。
図５に示すように、耐力壁２１・２１・２１・・・は室内空間１１の一側に、戸境壁１２に沿って複数枚が等間隔に配置される。また、浴室４１・トイレ４２及びベッド４３が、耐力壁２１を設けた戸境壁１２と反対側の戸境壁１２付近に配置される。
本実施例においては、耐力壁２１・２１・２１・・・間のスペースに、玄関ドア５１側からバルコニー窓５２側に向かって順に、キッチンユニット３１、照明ユニット３２、ハンガー収納ユニット３３、洗面台ユニット３４、収納ユニット３５及び洗濯機スペース３６が設けられている。
【００３１】
前記キッチンユニット３１、照明ユニット３２、ハンガー収納ユニット３３、洗面台ユニット３４、並びに、収納ユニット３５は、いわゆる住宅設備がユニットとして構成された住設ユニットである。
前記ハンガー収納ユニット３３には、隣接する耐力壁２１・２１間に架設される棒状部材が備えられ、前記ハンガー収納ユニット３３以外の住設ユニットには、隣接する耐力壁２１・２１間に架設される板状部材が備えられる。前記棒状部材又は板状部材は、隣接する耐力壁２１・２１間と略等しい幅を有するものであって、前記隣接する耐力壁２１・２１に架け渡されるものである。
そして、前記キッチンユニット３１では前記板状部材にシンクが備えられ、前記照明ユニット３２では前記板状部材に照明笠が備えられ、前記洗面台ユニット３４では前記板状部材に洗面ボウルが備えられ、前記収納ユニット３５では前記板状部材が棚板とされる。
【００３２】
図６は実施例１における使用例として、ハンガー収納ユニット３３、洗面台ユニット３４、収納ユニット３５が耐力壁２１に架設された状態を示す斜視図である。
ハンガー収納ユニット３３、洗面台ユニット３４、収納ユニット３５は、アルミ、ステンレス若しくは硬質プラスチックで形成された架設用部材６１ａ、６１ｂ、６２ａ、６２ｂ等によって、耐力壁２１に取り付けられる。詳しくは、図８に示す棚板用雄部材６１ａ、棚板用雌部材６１ｂ、掛止用雄部材６２ａ、掛止用雌部材６２ｂ、ハンガーパイプ用雌部材６２ｃ等で構成された架設用部材によって固設されるのである。
【００３３】
図８に示すように、前記棚板用雄部材６１ａ及び掛止用雄部材６２ａは一側が細くボルト状に形成され、この細く形成された側は雄ねじが形成され、面材２２の孔２４に挿通可能に構成されている。そして、この棚板用雄部材６１ａ及び掛止用雄部材６２ａの雄ねじ部分を孔２４に挿通し、ナット状に雌ねじが形成された棚板用雌部材６１ｂ又は掛止用雌部材６２ｂと螺合させることにより、架設用部材６１ａ、６１ｂ、６２ａ、６２ｂが耐力壁２１に固定されるのである。
【００３４】
このようにして固定された棚板用雄部材６１ａ及び棚板用雌部材６１ｂに棚板６３を載置することによって収納棚が形成される。棚板６３は、木材、アルミ、ステンレス若しくは硬質プラスチックから成り、耐力壁２１・２１間の間隔と同じ横幅で長方形状の平板に形成される。また、棚板６３の、棚板用雄部材６１ａ又は棚板用雌部材６１ｂとの接する箇所には窪み６３ａが形成される。この窪み６３ａに棚板用雄部材６１ａ又は棚板用雌部材６１ｂが嵌合することによって、棚板６３の水平位置が固定され、棚板６３がずれ落ちることがないように構成されている。
本実施例においては、図６に示すように収納ユニット３５による収納スペースが棚板６３・６３・６３・・・によって形成されている。この棚板用雄部材６１ａ及び棚板用雌部材６１ｂについては、耐力壁２１における孔２４のうち任意の箇所に固定することが可能であるので、収納棚の高さを容易に調節することができる。なお、棚板用雄部材６１ａ及び棚板用雌部材６１ｂについては棚板６３からの荷重を支持するため、掛止用雄部材６２ａ及び掛止用雌部材６２ｂよりも厚みを大きくして形成されている。
【００３５】
一方、掛止用雄部材６２ａ及び掛止用雌部材６２ｂを使用する際は、図８に示すように面材２２と、掛止する対象物との双方に雄ねじ部を挿通し、掛止用雄部材６２ａと掛止用雌部材６２ｂとを螺合させることにより、掛止する対象物を面材２２に固定するのである。本実施例においては、図６に示すように対象物として木材、アルミ、ステンレス若しくは硬質プラスチック等で形成される洗面台ユニット３４が耐力壁２１・２１間に配設されている。
【００３６】
図７に示すように洗面台ユニット３４は、左右側方を側板３４ｆ・３４ｆ、上方を天板３４ｈ、前方を前板３４ｉで囲まれた筐体に構成され、耐力壁２１・２１間の間隔と同じ横幅で構成される。そして、この洗面台ユニット３４の内部には洗面鏡３４ａ、洗面ボウル３４ｂ、収納用扉３４ｃ・３４ｃ、収納棚３４ｄ、蛇口３４ｅ等が配設される。
そして、この洗面台ユニット３４を耐力壁２１・２１間に設置するときは、掛止用雄部材６２ａ又は棚板用雄部材６１ａの雄ねじ部を面材２２と前記側板３４ｆとに挿通し、掛止用雌部材６２ｂを螺合して固定させるのである。このように、洗面台ユニット３４を構造躯体である耐力壁２１に直接組付けることができるので、組付けに必要な部品点数、経費を削減することができるのである。
【００３７】
図５に示すキッチンユニット３１及び照明ユニット３２についても、洗面台ユニット３４と同様に左右側方を側板、上方を天板、前方を前板で囲まれた筐体に構成され、耐力壁２１・２１間の間隔と同じ横幅で構成される。そして、キッチンユニット３１内部にはシンク、コンロ、換気扇等が設けられ、照明ユニット３２内部には照明笠が設けられるのである。これら各ユニットを設置する際にも、上記洗面台ユニット３４と同様に掛止用雄部材６２ａ及び掛止用雌部材６２ｂ等の架設用部材によって固定されるのである。
そして、これら各住設ユニット３１、３２，３３，３４，３５の横幅は耐力壁２１・２１間の間隔と略同一に構成されているので、耐力壁２１・２１間に設けられる住設ユニット３１、３２，３３，３４，３５の設置箇所を交換することが容易であり、室内空間１１のデザインに合わせた配置形態を実現できる。また、各住設ユニット３１、３２，３３，３４，３５の設置箇所を交換しても余分なスペースが発生せず、違和感のない室内空間１１の構成にすることができる。
【００３８】
また、掛止用雌部材６２ｂに替えてハンガーパイプ用雌部材６２ｃを掛止用雄部材６２ａと螺合させることにより、ハンガー収納ユニット３３によるハンガー収納スペースを形成することができる。このハンガー収納ユニット３３にはハンガーパイプ用雌部材６２ｃの他、収納棚６３、ハンガー収納ユニット用扉３３ａが配設されている。
【００３９】
［機能孔］
次に、前記機能孔２５、２６、２７について、図２及び図６を用いて説明する。
上述したように、前記耐力壁２１における面材２２の上部には、円形状若しくは長円形状の機能孔２５、２６、２７が開口され、本実施例においては配線用孔２５、ダクト用孔２６、配管用孔２７が設けられている。図６に示すようにこれらの機能孔２５、２６、２７は、それぞれ配線７１・ダクト７２及び配管７３が挿通され、配線７１・ダクト７２及び配管７３が別途支持部材を設けることなく支持される構成となっている。このように、配線７１・ダクト７２及び配管７３等を耐力壁２１で直接支持できるので、組付けに必要な部品点数、経費を削減することができるのである。
本実施例では、ダクト７２は天井裏のスペースを通じて耐力壁２１・２１・２１・・・と対向する浴室４１及びトイレ４２の排気口と室外とを連通し、このダクト７２によって浴室４１及びトイレ４２の空気が室外に排気される構成としている。
また、本実施例では配線７１・ダクト７２及び配管７３はカバー６４・６４・６４・・・にて覆われる構成としているが、カバー６４・６４・６４・・・は取り外してもよく、配線７１・ダクト７２及び配管７３をインテリアの一部として利用する構成にすることもできる。
【００４０】
［別実施例］
次に、本発明の実施例２乃至実施例４に係る家具ユニットの配置方法について、図９乃至図１１を用いて説明する。なお本実施例以降に説明する耐力壁２１の各実施例において、実施例１と共通する部分については、同符号を付してその説明を省略する。
【００４１】
実施例２においては図９に示すように、浴室４１・トイレ４２が、耐力壁２１を設けた戸境壁１２付近に配置される。ここで、浴室４１の空間を確保するため、浴室４１の配置箇所の耐力壁１２・１２の間隔を、他の部分における間隔の２倍にしている。即ち、他の部分における基本寸法（モジュール）Ｍ１に対して、耐力壁１２を一枚取り外すことによって基本寸法（モジュール）Ｍ１の２倍の拡大寸法Ｍ２を確保しているのである。
【００４２】
このように、耐力壁２１・２１・・・を、基本寸法（モジュール）の倍数を組み合わせた間隔で配置することができる。即ち、耐力壁１２の間隔を変更することによって、室内空間の住宅設備の組み合わせに関する自由度を大幅に向上させることが可能になるのである。また、このときの住設ユニットについても、基本寸法（モジュール）の倍数の横幅で形成すればよいので規格の統一が容易となり、製作コストを抑えることができる。
なお、本実施例では浴室４１を配置箇所を拡大寸法Ｍ２としたが、耐力壁１２・１２・・・の配置形態は限定されるものではなく、他の住設ユニットの配置箇所を拡大寸法Ｍ２にしたり、あるいは基本寸法（モジュール）の３倍の間隔の拡大寸法にすることも可能である。
【００４３】
また、本実施例においては、浴室４１・トイレ４２を含めた住宅設備が耐力壁２１を設けた戸境壁１２付近に配置されるため、排気管・給排水管等の設備を集中して配設することにより、配線又は配管等の維持管理が容易となるように構成している。
【００４４】
実施例３においては図１０に示すように、浴室４１・トイレ４２が、耐力壁２１を設けた戸境壁１２と反対側の戸境壁１２付近で、玄関ドア５１側に配置され、室内空間１１が分割されることなく、いわゆるワンルームとして構成されている。このような場合、室内デザインに対応して家具の配置形態を変更することが可能となる。具体的には、耐力壁２１・２１・２１・・・間のスペースに、玄関ドア５１側からバルコニー窓５２側に向かって順に、洗濯機スペース３６、洗面台ユニット３４、キッチンユニット３１、照明ユニット３２、ハンガー収納ユニット３３、収納ユニット３５が設けられており、室内空間１１を一つの部屋として利用しやすい構成となっている。
【００４５】
また、実施例４においては図１１に示すように、浴室４１・トイレ４２が、耐力壁２１を設けた戸境壁１２と反対側の戸境壁１２付近に配置され、浴室４１・トイレ４２よりも玄関ドア５１側にはベッドルーム５３が構成されている。このような場合についても、耐力壁２１・２１・２１・・・間のスペースに、玄関ドア５１側からバルコニー窓５２側に向かって順に、ハンガー収納ユニット３３、収納ユニット３５、洗濯機スペース３６、洗面台ユニット３４、キッチンユニット３１、照明ユニット３２を配置することで、室内空間１１のバルコニー窓５２側がダイニングスペースとして利用し易くなるのである。
【００４６】
ここで、複数の耐力壁２１・２１・・・は、基本寸法（モジュール）ごとに略同一間隔で配置されるとともに、収納ユニット３５、キッチンユニット３１又は洗面台ユニット３４等の家具の横幅が耐力壁２１・２１間の間隔と略同一に形成されているので、これらの家具の設置箇所を容易に変更することができ、室内空間１１のデザインに合わせた配置形態を実現できる。また、各ユニットの設置箇所を交換しても余分なスペースが発生せず、違和感のない室内空間１１の構成にすることができるのである。
【００４７】
次に、本発明に係る家具ユニットの一つであるペットルームユニット８０について、図１２を用いて説明する。図１２（ａ）は本発明のペットルームユニット８０の正面図、（ｂ）は（ａ）におけるＥ−Ｅ線断面図、（ｃ）は同じくＣ−Ｃ線断面図、（ｄ）は同じくＤ−Ｄ線断面図である。
ペットルームユニット８０は板状部材を組み合わせた筐体８１、洗浄台８２、換気扇８３、排気ダクト８４等で構成される。筐体８１の上部は後面を開口し、下部は前面を開口して形成され、前記洗面台ユニット３４と同様に架設用部材６１ａ、６１ｂ、６２ａ、６２ｂ等を孔２４に挿通させることで面材２２に固設される。筐体８１の下部は仕切り板８１ｃによって左右に仕切られており、正面視において左側が飼育スペース８１ａ、右側がトイレスペース８１ｂである。トイレスペース８１ｂの奥は仕切り板８１ｄによって区切られたダクトスペース８１ｅとなっており、洗浄台８２に連通する排水管８２ｄ、排気ダクト８４等が配設される。
筐体８１の上部にはペットを洗浄可能な洗浄台８２が組みつけられ、洗浄台８２は洗浄ボウル８２ａ、コック８２ｂ、シャワー８２ｃ、排水管８２ｄ等で構成される。また、同じく筐体８１の上部には、前記トイレスペース８１ｂに連通して換気扇８３が配設される。なお、本実施例においてはペットルームユニット８０の上方には棚板６３・６３が架設され、収納スペースを設ける構成としている。
【００４８】
以上のように構成されるペットルームユニット８０において、ペットの食事や睡眠等、日常の生活は飼育スペース８１ａで行われ、ペットの排泄はトイレスペース８１ｂで行われる。その際、該トイレスペース８１ｂの上面に配設された換気扇８３が排泄の際の臭いを吸気し、排気ダクト８４を通じて排気するので、人の生活エリアに臭いが漏れることを防ぐことができる。
また、洗浄台８２が筐体８１の上部に配設されているので、ペットの身体や備品等を洗う場合の作業が簡易となる。即ち、ペットが食事をこぼしたり、排泄に失敗して糞尿が漏れたりした場合でも即座にペット自身、備品及び付近の設備を洗浄することが可能となるのである。さらに、ペットルームユニット８０に電気設備を配設して、ドライヤでペットの身体を乾かしたり、飼育スペース８１ａに照明設備を設けたりする構成にすることも可能である。
【００４９】
このように、ペットルームユニット８０が家具ユニットの一つとして耐力壁２１・２１間に設けられる。これにより、人とペットが生活空間を共にすることができ、生活パートナーとして家族同様に生活することができる。また、ペットの気になる臭いを人の生活空間に侵入させることなく、ペットの洗浄等の手入れも簡易に行うことができる。
さらに、ペットの寿命は概ね人よりも短い場合が多く、ペットの死亡等によって飼育の必要がなくなる場合がある。そのような場合においても、ペットルームユニット８０を取り外し、他のユニットに交換することができ、生活スタイルの変化に対応した室内デザインにすることが可能となるのである。
また、前記ペットルームユニット８０に代えて、熱帯魚等の観賞用水棲動物を飼うための水槽ユニットを配置することも可能である。前記水槽ユニットは水槽の他、給排水のためのポンプが設けられ、常に清浄な水を供給することが可能となる。
【００５０】
以上のように、構造体の荷重を支承する耐力壁２１を備えた建築物であって、戸境壁１２に対して略直交し且つ互いに略平行となるように室内空間１１に複数配置され、多数の孔２４が規則的に配列された面材２２で構成された耐力壁２１と、隣接する耐力壁２１・２１間に前記孔２４を利用して架設される板状部材又は棒状部材を含む住設ユニット３１、３２，３３，３４，３５とが設けられる。
これにより、例えば、収納ユニット３５、キッチンユニット３１、或いは洗面台ユニット３４といった住設ユニットを構造躯体である耐力壁２１に直接組付けることができるので、組付けに必要な部品点数、経費を削減することができる。また、構造体の強度を向上させるための耐力壁２１を複数配置しても、これらの耐力壁２１によって挟まれたスペースを収納、キッチン又は洗面台などの機能空間として利用することで、無駄な空間が生じない。さらに、耐力壁２１を採光性・意匠性に富んだインテリア家具として利用できる。
【００５１】
また、前記複数の耐力壁２１は、基本寸法（モジュール）ごとに略同一間隔で、若しくは基本寸法（モジュール）の倍数を組み合わせた間隔で配置される。これにより、耐力壁２１・２１間に設けられる住設ユニット３１、３２，３３，３４，３５の設置箇所を交換することが容易であり、室内空間１１のデザインに合わせた配置形態を実現できる。また、各住設ユニット３１、３２，３３，３４，３の設置箇所を交換しても余分なスペースが発生せず、違和感のない室内空間１１の構成にすることができる。
【００５２】
また、前記住設ユニットは、前記板状部材を棚板とする収納ユニット３５、前記板状部材にシンクを備えたキッチンユニット３１、前記板状部材に洗面ボウルを備えた洗面台ユニット３４、前記板状部材に照明笠を備えた照明ユニット３２、及び、前記板状部材に洗浄ボウル及び換気扇を備えたペットルームユニット８０のうち何れか一つのユニットとされる。これにより、それぞれユニットとして構成されるので、組み付けが容易であり、生活スタイルに応じてユニットの配置変更を行うことができる。
【００５３】
さらに、前記耐力壁２１の上部又は下部には、円形状若しくは長円形状の機能孔２５・２６・２７が開口され、前記機能孔２５・２６・２７には配線７１・ダクト７２及び配管７３が挿通され、この機能孔によって配線７１・ダクト７２及び配管７３が支持される。これにより、組付けに必要な部品点数、経費を削減することができる。また、配線７１・ダクト７２及び配管７３をインテリアの一部として利用できる。
【００５４】
さらに、前記耐力壁２１の一側端部又は両側端部に柱材２３が設けられる。これにより、耐力壁２１の意匠性を向上させることができる。
【図面の簡単な説明】
【００５５】
【図１】本発明に係る集合住宅の全体的な構成を示した概略平面図。
【図２】本発明に係る耐力壁の斜視図。
【図３】本発明に係る耐力壁の一階における取付状態を示す正面図。
【図４】耐力壁と梁及び基礎梁との連結構造を示した側面図。
【図５】本発明の実施例１に係る概略平面図。
【図６】本発明に係る耐力壁の実施例１における使用状態を示す斜視図。
【図７】実施例１における洗面台ユニットを示す斜視図。
【図８】架設用部材の正面図及び側断面図。
【図９】本発明の実施例２に係る概略平面図。
【図１０】本発明の実施例３に係る概略平面図。
【図１１】本発明の実施例４に係る概略平面図。
【図１２】（ａ）は本発明のペットルームユニットの正面図、（ｂ）は（ａ）におけるＥ−Ｅ線断面図、（ｃ）は同じくＣ−Ｃ線断面図、（ｄ）は同じくＤ−Ｄ線断面図。
【符号の説明】
【００５６】
１０    集合住宅
１２    戸境壁
２１    耐力壁
２２    面材
２３    壁柱
２４    孔
３１    キッチンユニット
３３    ハンガー収納ユニット
３４    洗面台ユニット
３５    収納ユニット
８０    ペットルームユニット
【図１】
0005262060.tif 000002
【図２】
0005262060.tif 000003
【図３】
0005262060.tif 000004
【図４】
0005262060.tif 000005
【図５】
0005262060.tif 000006
【図６】
0005262060.tif 000007
【図７】
0005262060.tif 000008
【図８】
0005262060.tif 000009
【図９】
0005262060.tif 000010
【図１０】
0005262060.tif 000011
【図１１】
0005262060.tif 000012
【図１２】
0005262060.tif 000013